(57)【要約】【課題】円盤状の扁平型電池の誤飲を防止するとともに、電池を回収する際の短絡事故を防止することのできる電池包装体を提供する。【解決手段】扁平型電池１は、負極面を兼ねる封口板６と正極面を兼ねる電池ケース５とがガスケット７を介して密閉された構成をなし、電池１は、樹脂ケース１０に保持された状態で電池包装体２０に収容されている。樹脂ケース１０は、電池を電極面から出し入れ可能な開口部１２と、電池の側面又は／及び底面を保持する側面部１３及び底面部１４と、側面部１３の開口部側周縁部から径方向内側に突出するリング状の突出部１５とを有し、突出部１５は、揺動可能に周縁部に支持されており、かつ、突出部の内径は、ガスケットの露出部における内径よりも小さく、樹脂ケースの外表面には、催吐剤が付与されている。【選択図】図２
2014026848.tif 000002
【特許請求の範囲】
【請求項１】
円盤状の扁平型電池を収容する収容室を備えた電池包装体であって、
前記扁平型電池は、第１の電極面を兼ねる封口板と第２の電極面を兼ねる電池ケースとがリング状のガスケットを介して密閉された構成をなし、
前記扁平型電池は、樹脂ケースに保持された状態で、前記収容室に収容されており、
前記樹脂ケースは、
前記扁平型電池を、該電池の電極面から出し入れ可能な開口部と、
前記扁平型電池を少なくとも一方が保持する側面部及び底面部と、
前記側面部の前記開口部側周縁部から径方向内側に突出するリング状の突出部と
を有し、
前記突出部は、揺動可能に前記周縁部に支持されており、かつ、前記突出部の内径は、前記ガスケットの露出部における内径よりも小さく、
前記樹脂ケースの側面部又は／及び底面部の外表面には、催吐剤が付与されている、電池包装体。
【請求項２】
前記樹脂ケースの側面部又は／及び底面部の外表面に催吐剤が付与されている代わりに、前記樹脂ケースが、角形の外形を有している、請求項１に記載の電池包装体。
【請求項３】
前記樹脂ケースの側面部の内周面には、前記扁平型電池の側面を付勢する突起部が形成されている、請求項１に記載の電池包装体。
【請求項４】
前記突出部は、変形可能な弾性部材で構成されている、請求項１に記載の電池包装体。
【請求項５】
前記樹脂ケースの側面部、底面部、及び突出部は、射出成形により一体成形されている、請求項４に記載の電池包装体。
【請求項６】
前記樹脂ケースの底面部には、前記第１の電極面を有する突起状電極部が埋設する凹部が形成されている、請求項１に記載の電池包装体。
【請求項７】
前記樹脂ケースの底面部には、前記扁平型電池の取り扱いが表示されている、請求項１に記載の電池包装体。
【請求項８】
前記電池包装体は、
前記扁平型電池を収容する収容室が形成されたカバー本体と、
前記カバー本体の凹部を閉塞する基材と
で構成されたブリスターパックからなる、請求項１に記載の電池包装体。
【請求項９】
請求項１〜８の何れかに記載の電池包装体に使用される電池保持用の樹脂ケースであって、
前記樹脂ケースは、
前記扁平型電池を、該電池の電極面から出し入れ可能な開口部と、
前記扁平型電池を少なくとも一方が保持する側面部及び底面部と、
前記側面部の前記開口部側周縁部から径方向内側に突出するリング状の突出部と
を有し、
前記突出部は、揺動可能に前記周縁部に支持されており、かつ、前記突出部の内径は、前記ガスケットの内径よりも小さく、
前記樹脂ケースの側面部又は／及び底面部の外表面には、催吐剤が付与されている、電池保持用樹脂ケース。
【請求項１０】
前記樹脂ケースの側面部又は／及び底面部の外表面に催吐剤が付与されている代わりに、前記樹脂ケースが、角形で構成されている、請求項９に記載の電池保持用樹脂ケース。
【発明の詳細な説明】
【技術分野】
【０００１】
本発明は、円盤状の扁平型電池を収容する収容室を備えた電池包装体に関する。
【背景技術】
【０００２】
ボタン電池等の円盤状の扁平型電池は、小型薄型化されているため、幼児が誤って飲み込むおそれがある。
【０００３】
そのため、ボタン電池を電源とする電子機器は、幼児が簡単に電池を取り出せないように、ボタン電池を収容する収容室にロック機構を設けて、誤飲防止を図っている。
【０００４】
しかしながら、ボタン電池を交換する際に、ボタン電池が不用意に放置されると、その間に、幼児がボタン電池を誤飲するおそれもある。また、交換したボタン電池は、回収されて処分されるが、沢山の裸のボタン電池が回収箱に積み込まれると、微小な金属片等がブリッジとなって、正極と負極とが短絡するおそれがある。ボタン電池に容量が残っている場合には、短絡電流により発熱して、発火に至るおそれもある。
【０００５】
そこで、ボタン電池の表面に、苦味剤等の幼児が忌避する物質を塗布しておくことによって、幼児が誤ってボタン電池を口に含んだ場合に、即座に電池を吐き出させ、体内への飲み込みを防止する対策が、特許文献１等に記載されている。
【０００６】
また、ボタン電池を、電極端子を除いて外形が角形の絶縁物で覆うことによって、幼児が誤ってボタン電池を口に含んでも、口の中で違和感を感じて、体内に飲み込むのを防止する対策が、特許文献２に記載されている。
【先行技術文献】
【特許文献】
【０００７】
【特許文献１】特開昭５９−４４７６２号公報
【特許文献２】実開昭５９−１９２２６２公報
【発明の概要】
【発明が解決しようとする課題】
【０００８】
ボタン電池の表面に苦味剤等の物質を塗布すると、これらの物質は導電性を有していなため、ボタン電池を電子機器に装着した際、接触不良を起こすという問題がある。
【０００９】
また、ボタン電池を角形の絶縁物で覆うと、ボタン電池の外形寸法が変わってしまうため、ボタン電池の汎用性が損なわれ、使用できる電子機器の範囲が制限される等の問題がある。
【００１０】
さらに、裸のボタン電池を回収する際に発生する短絡事故は、未だ有効な対策がなされていない。
【００１１】
本発明は、かかる点に鑑みなされたもので、その主な目的は、円盤状の扁平型電池の誤飲を防止するとともに、電池を回収する際の短絡事故を防止することのできる電池包装体を提供することにある。
【課題を解決するための手段】
【００１２】
本発明に係る電池包装体は、円盤状の扁平型電池を収容する収容室を備えた電池包装体であって、扁平型電池は、第１の電極面を兼ねる封口板と第２の電極面を兼ねる電池ケースとがリング状のガスケットを介して密閉された構成をなし、扁平型電池は、樹脂ケースに保持された状態で、収容室に収容されている。ここで、樹脂ケースは、扁平型電池を、電池の電極面から出し入れ可能な開口部と、扁平型電池を少なくとも一方が保持する側面部及び底面部と、側面部の前記開口部側周縁部から径方向内側に突出するリング状の突出部とを有している。突出部は、揺動可能に周縁部に支持されており、かつ、突出部の内径は、ガスケットの露出部における内径よりも小さく、樹脂ケースの側面部又は／及び底面部の外表面には、催吐剤が付与されている。
【００１３】
このような構成により、扁平型電池を保持する樹脂ケースの側面部又は／及び底面部の外表面に催吐剤が付与されているため、万一、幼児が誤って樹脂ケースを口に含んだ場合でも、即座に樹脂ケースを吐き出させることができる。これにより、幼児による扁平型電池の誤飲事故を防止することができる。なお、扁平型電池には、催吐剤が付与されていないため、電池を電子機器に装着した際、接触不良を起こすことはない。さらに、樹脂ケースの開口部の周縁部に、リング状の突出部を設けているため、交換された電池を、この樹脂ケースに収納して回収すれば、回収の際の短絡事故を防止することができる。
【００１４】
本発明に係る電池包装体は、扁平型電池が樹脂ケースに保持した状態で、電池包装体の収容室に収容されている。このような形態で市場に流通した電池包装体を購入したユーザは、電池包装体から、扁平型電池が保持された樹脂ケースを取り出し、さらに、樹脂ケースから電池を取り出して、電子機器に装着する。従って、電池包装体から取り出された扁平型電池が、電子機器に装着するまで放置されていた場合でも、電池は樹脂ケースに保持されているため、幼児が電池を誤飲するのを防止することができる。また、電池を取り出した樹脂ケースを残しておけば、再び、交換された電池を樹脂ケースに収納して回収することによって、回収の際の短絡事故を防止することができる。
【発明の効果】
【００１５】
本発明によれば、簡単な構成で、円盤状の扁平型電池の誤飲を防止するとともに、電池を回収する際の短絡事故を防止することのできる電池包装体を提供することができる。
【図面の簡単な説明】
【００１６】
【図１】本発明の一実施形態における円盤状の扁平型電池の構成を示した断面図である。
【図２】（ａ）〜（ｃ）は、電池を樹脂ケースに保持するステップを示した断面図である。
【図３】本発明の一実施形態における樹脂ケースの構成を示した平面図である。
【図４】本発明の一実施形態における電池包装体の構成を示した図で、（ａ）は平面図、（ｂ）は（ａ）のＢ−Ｂ線に沿った断面図である。
【図５】（ａ）〜（ｃ）は、電池を樹脂ケースに保持する他のステップを示した断面図である。
【図６】図５（ｃ）に示した状態の樹脂ケースを拡大した断面図である。
【図７】本発明の一実施形態における樹脂ケースの変形例を示した斜視図である。
【図８】本発明の一実施形態における樹脂ケースの他の変形例を示した断面図である。
【図９】（ａ）、（ｂ）は、異なる厚みを有する電池を、それぞれ樹脂ケースに保持するステップを示した断面図である。
【発明を実施するための形態】
【００１７】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１８】
図１は、本発明の一実施形態における円盤状の扁平型電池１の構成を模式的に示した断面図である。ここで、円盤状の扁平型電池１は、ボタン電池やコイン電池等の形状が薄型円盤状の電池をいう。また、電池の種類は問わず、例えば、一次電池であっても、二次電池であってもよい。以下、円盤状の扁平型電池１を単に「電池」という。なお、図１に例示した電池は、リチウム電池である。
【００１９】
図１に示すように、リチウムまたはリチウム合金を負極活物質とする負極２と、フッ化黒鉛を正極活物質とする正極３とが、セパレータ４を挟んで、電池ケース５に電解液と共に収容されている。電池ケース５の開口部は、リング状のガスケット７を介して、封口板６で封口されている。正極３は電池ケース５の底部に接触し、電池ケース５の底面は正極面を兼ねる。また、負極２は封口板６に接触し、封口板６の上面は負極面を兼ねる。ここで、負極面６の外径は、正極面５の外径よりも小さく、かつ、負極端子は、突起状電極部をなしている。
【００２０】
図２（ａ）〜（ｃ）は、電池１を樹脂ケース１０に保持する（収容する）ステップを示した断面図である。また、図３は、樹脂ケース１０の平面図である。なお、電池１は、正極面５及び負極面６のみ表示している。
【００２１】
図２（ａ）及び図３に示すように、樹脂ケース１０は、電池１を、電池１の電極面から出し入れ可能な開口部１２と、電池１を少なくとも一方が保持する側面部１３及び底面部１４とを有する。これにより、樹脂ケース１０内は、電池１が収納される収納部１１が確保されている。また、樹脂ケース１０は、側面部１３の開口部１２側の周縁部１３ａから径方向内側に突出するリング状の突出部１５を有している。ここで、突出部１５は、揺動可能に周縁部１３ａに支持されている。また、樹脂ケース１０の側面部１３又は／及び底面部１４の外表面には、催吐剤が付与されている。
【００２２】
樹脂ケース１０の側面部１３の内周面には、電池１の側面を付勢する突起部１６が形成されている。突起部１６の形状は特に制限されないが、例えば、図３に示すように、樹脂ケース１０の側面部１３の周方向に沿って、等間隔に４箇所設けてもよい。また、樹脂ケース１０の底面部１４には、負極面６を有する突起状電極部が埋設する凹部１４ａが形成されている。
【００２３】
図２（ａ）に示すように、電池１を矢印の方向に樹脂ケース１０の収納部１１に挿入すると、図２（ｂ）に示すように、電池１の正極面５の周縁部がリング状の突出部１５に当たる。突出部１５を変形可能な弾性部材で構成しておけば、図２（ｂ）に示すように、電池１が樹脂ケース１０の収納部１１に進入するに従い、突出部１５は変形する。そして、図２（ｃ）に示すように、負極面６を有する突起状電極部が、樹脂ケース１０の底面部１４に形成された凹部１４ａに埋設される。なお、電池１が突出部１５を通過した後、突出部１５は、その弾性により元の位置まで戻る。この状態で、電池１の側面は、樹脂ケース１０の側面部１３に形成された突起部１６からの付勢を受けて、収納部１１内に保持される。
【００２４】
本発明において、電池１を保持する樹脂ケース１０の側面部１３又は／及び底面部１４の外表面に催吐剤が付与されているため、万一、幼児が誤って電池１を口に含んだ場合でも、即座に電池を吐き出させ、体内への飲み込みを防止することができる。なお、電池１には、催吐剤が付与されていないため、電池１を電子機器に装着した際、接触不良を起こすことはない。
【００２５】
さらに、負極面６を有する突起状電極部が、樹脂ケース１０の底面部１４に形成された凹部１４ａに埋設されているため、負極面６と正極面５とは、樹脂ケース１０の底面部１４によって、互いの絶縁性が確保されている。そのため、交換された電池１を、樹脂ケース１０に収納して回収すれば、回収の際の短絡事故を防止することができる。
【００２６】
図４は、本発明の一実施形態における扁平型電池１を収容した電池包装体２０の構成を模式的に示した図で、図４（ａ）は平面図、図４（ｂ）は図４（ａ）のＢ−Ｂ線に沿った断面図である。
【００２７】
図４（ａ）、（ｂ）に示すように、電池包装体２０は、扁平型電池１を収容する収容室２３が形成されたカバー本体２２と、カバー本体２２の収容室を閉塞する基材２１とで構成されたブリスターパックからなる。ここで、扁平型電池１は、樹脂ケース１０に保持された状態で、収容室２３に収容されている。なお、基材２１には、電池包装体２０を吊り下げるための孔２４が形成されている。
【００２８】
このような形態で市場に流通した電池包装体２０を購入したユーザは、電池包装体２０から、電池１が保持された樹脂ケース１０を取り出し、さらに、樹脂ケース１０から電池１を取り出して、電子機器に装着する。従って、電池包装体２０から取り出された電池１が、電子機器に装着するまで放置されていた場合でも、電池１は樹脂ケース１０に保持されているため、幼児が電池１を誤飲するのを防止することができる。また、電池１を取り出した樹脂ケース１０を残しておけば、再び、電池１を樹脂ケース１０に収納して回収することによって、回収の際の短絡事故を防止することができる。
【００２９】
なお、電池１は、樹脂ケース１０の底面部１４を電池１方向に押すことによって、突起部１６による付勢に抗して、樹脂ケース１０から取り出すことができる。特に、樹脂ケース１０の底面部１４に形成された凹部１４ａは、樹脂の厚みが薄くなっているので、電池１の取り出しがより容易になっている。
【００３０】
ところで、電池１は、図２（ａ）〜（ｃ）に示すように、電池１を、負極面６から挿入すれば、負極面６を有する突起状電極部が、樹脂ケース１０の底面部１４に形成された凹部１４ａに埋設されるため、正極面５と負極面６との短絡事故を防止することができる。
【００３１】
しかしながら、ユーザは、図５（ａ）〜（ｃ）に示すように、電池１を、正極面５から挿入することも想定される。
【００３２】
本発明は、このような場合にも、正極面５と負極面６との短絡事故を防止することができる。以下、図５（ａ）〜（ｃ）を参照しながら説明する。
【００３３】
まず、図５（ａ）に示すように、電池１を矢印の方向に樹脂ケース１０の収納部１１に挿入すると、図５（ｂ）に示すように、電池１の正極面５の周縁部がリング状の突出部１５に当たって、突出部１５は変形する。そして、図５（ｃ）に示すように、正極面５の外径は、負極面６の外径よりも大きいため、正極面５が樹脂ケース１０の底面部１４に当たって止まる。なお、電池１が突出部１５を通過した後、突出部１５は、その弾性により元の位置まで戻る。この状態で、電池１の側面は、樹脂ケース１０の側面部１３に形成された突起部１６からの付勢を受けて、収納部１１内に保持される。
【００３４】
図６は、図５（ｃ）に示した状態の樹脂ケースを拡大した断面図である。
【００３５】
図６に示すように、樹脂ケース１０の底面部１４に形成された凹部１４ａには、電池１が埋設されないため、図２（ｃ）に示した状態に比べて、電池１は、凹部１４ａの深さ分だけ、突出部１５側に近づいて、収納部１１内に保持される。
【００３６】
このとき、図６に示すように、突出部１５の内径Ｌ１が、ガスケット７の露出部における内径Ｌ２よりも小さければ、正極面５は突出部１５によって覆われた状態となる。そのため、交換された電池１を、樹脂ケース１０に収納して回収しても、正極面５と負極面６との短絡事故は防止できる。
【００３７】
なお、図６では、突出部１５の径方向内側端部は、電池１の負極面６に当接しているが、当接せずに多少の隙間があっても、正極面５を覆っている限り、正極面５と負極面６との短絡事故を防止することができる。
【００３８】
本発明において、樹脂ケース１０の側面部１３又は／及び底面部１４の外表面に付与した催吐剤の材料は、人が口に入れて吐き出してしまう味を感じる物質であれば、特に制限されない。例えば、苦味物質として、安息香酸デナトニウム、キク抽出物、キハダ抽出物等を用いることができる。また、辛味物質として、カプサイシン、シニグリン等を用いることができる。また、催吐剤を樹脂ケース１０の外表面に塗布する代わりに、樹脂ケース１０の樹脂中に、予め催吐剤を混ぜておいてもよい。
【００３９】
本発明において、樹脂ケース１０の材料は特に制限されないが、例えば、ポリプロピレン（ＰＰ）、ポリエチレンテレフタレート（ＰＥＴ）等を用いることができる。また、樹脂ケース１０の側面部１３、底面部１４、及び突出部１５を、射出成形により一体成形してもよい。あるいは、樹脂ケース１０の成形時に、変形可能な弾性部材で構成された突出部１５をインサート成形してもよい。
【００４０】
また、樹脂ケース１０の底面部１４に、扁平型電池１の取扱い等を表示させてもよい。例えば、安全に関する注意事項（誤飲、短絡等）を表示することができる。
【００４１】
本発明は、扁平型電池１を、樹脂ケース１０に保持した状態で、ブリスターパック等の電池包装体２０の収容室２３に収容したものである。そして、樹脂ケース１０に、誤飲防止機能及び短絡防止機能を付与することによって、誤飲事故及び短絡事故の発生を防止したものである。また、樹脂ケース１０は、非常に簡単な構成で形成でき、しかも、電池の規格に合わせて寸法も決められるため、汎用性の高い部品として使用することができる。従って、電池包装体２０に使用するだけでなく、電池保持用の樹脂ケース１０として使用することも可能である。
【００４２】
図７は、本実施形態における樹脂ケース１０の変形例を示した斜視図である。
【００４３】
図２（ａ）、図３に示した樹脂ケース１０は、樹脂ケース１０の側面部１３又は／及び底面部１４の外表面に催吐剤を付与することによって、誤飲防止機能を持たせたが、本変形例では、樹脂ケース１０自身の外形を角形にすることによって、誤飲防止機能を持たせたものである。
【００４４】
図７に例示した樹脂ケース１０は、電池１を出し入れする開口部は、電池１の正極面５とほぼ同径の円形をしており、リング状の突出部１５が、開口部の周縁部から径方向内側に突出している。一方、樹脂ケース１０の側面部１３は、平面視で４角形になっている。
【００４５】
本変形例によれば、幼児が誤って電池１が保持された樹脂ケース１０を口に含んでも、形状が角ばっているため、口の中で違和感を感じ、体内に飲み込むのを防止することができる。なお、樹脂ケース１０の外形は、平面視で４角形に限らず、多角形であってもよい。
【００４６】
図８は、本実施形態における樹脂ケース１０の他の変形例を示した断面図である。
【００４７】
図８に示すように、樹脂ケース１０は、電池１を、電池１の電極面から出し入れ可能な開口部１２と、電池の側面又は／及び底面を保持する側面部１３及び底面部１４とを有し、側面部１３から、３つのリング状の突出部１５ａ、１５ｂ、１５ｃが、それぞれ、径方向内側に突出して形成されている。各突出部１５ａ、１５ｂ、１５ｃは、それぞれ、揺動可能に側面部１３に支持されており、かつ、各突出部１５ａ、１５ｂ、１５ｃの内径は、ガスケット（不図示）の露出部における内径よりも小さくなっている。また、底面部１４の中心部には、厚みを薄くした薄肉部１４ｂが形成されている。また、側面部１３と底面部１４との角部は、テーパ状に加工された傾斜面１７を有している。
【００４８】
図９（ａ）、（ｂ）は、厚みの異なる３種類の電池Ａ、Ｂ、Ｃを、それぞれ、樹脂ケース１０に保持する（収容する）ステップを示した断面図である。
【００４９】
図９（ｂ）に示すように、最も厚みの大きい電池Ａが樹脂ケース１０に収容された状態で、突出部１５ａが、電池Ａの正極面５を覆っている。そして、他の突出部１５ｂ、１５ｃは、変形した状態で、電池Ａの側面を付勢して、電池Ａを保持している。すなわち、本変形例では、突出部１５ａが、図２（ａ）、図３に示した突出部１５に相当し、突出部１５ｂ、１５ｃは、図２（ａ）、図３に示した突起部１６に相当する。
【００５０】
また、図９（ｂ）に示すように、電池Ａよりも厚みの小さい電池Ｂ、Ｃは、それぞれ、樹脂ケース１０に収容された状態で、電池Ｂは、突出部１５ｂによって、電池Ｃは、突出部１５ｃによって、電池Ｂ及び電池Ｃの正極面５が覆われている。
【００５１】
このように、樹脂ケース１０の側面部１３に、高さ方向の位置が異なる複数の突出部１５を設けておくことによって、厚さの異なる電池１に対しても、電池１の正極面５を、何れかの突出部１５で覆うことができる。このことは、図５（ａ）〜（ｃ）に示したように、電池１を正極面５から樹脂ケース１０に挿入した場合に、電池１の正極面５を突出部１５で覆うことができるため、交換された電池１を回収する際の短絡事故の防止に、特に有効である。また、樹脂ケース１０の底面部１４に薄肉部１４ｂを設けておくことによって、樹脂ケース１０に収納された電池１を、薄肉部１４ｂを押すことにより、容易に、樹脂ケース１０から取り出すことができる。
【００５２】
以上、本発明を好適な実施形態により説明してきたが、こうした記述は限定事項ではなく、もちろん、種々の改変が可能である。例えば、上記実施形態では、電池包装体として、ブリスターパックを例に説明したが、これに限らず、例えば、筒状の包装フィルムからなるピロー包装体等であってもよい。
【産業上の利用可能性】
【００５３】
本発明は、電子機器の電源として用いられる扁平型電池を収容する電池包装体に有用である。
【符号の説明】
【００５４】
１      扁平型電池 
２      負極 
３      正極 
４      セパレータ 
５      電池ケース（正極面） 
６      封口板（負極面） 
７      ガスケット 
１０    樹脂ケース 
１１    収納部 
１２    開口部 
１３    側面部 
１３ａ  周縁部 
１４    底面部 
１４ａ  凹部
１４ｂ  薄肉部 
１５、１５ａ、１５ｂ、１５ｃ    突出部 
１６    突起部 
２０    電池包装体 
２１    基材 
２２    カバー本体 
２３    収容室 
２４    孔 
【図１】
2014026848.tif 000003
【図２】
2014026848.tif 000004
【図３】
2014026848.tif 000005
【図４】
2014026848.tif 000006
【図５】
2014026848.tif 000007
【図６】
2014026848.tif 000008
【図７】
2014026848.tif 000009
【図８】
2014026848.tif 000010
【図９】
2014026848.tif 000011